Podtech/llm-jp-corpus-v4-ja_patent huggingface dataset:
(57)【要約】      （修正有）【課題】苗床パレットの重量を軽減し、作業者の疲労を軽減すると共に機械の動力の軽減そして耐久性を向上する水耕栽培装置を提供する。【解決手段】植物栽培パネルの構造を変え、本体１と蓋はバンドで止めずに、反転する機械側で保持し、苗の取付け、成長した野菜の取外し時の労力を省き、移動、反転、浸漬の場ではコロ、テコ、クサビの原理を応用して動力を低減し又、耐久性を向上させた。【選択図】図２
2012249626.tif 000002
【特許請求の範囲】
【請求項１】
複数個の苗床を取り付けた水耕栽培用パレットをローラーコンベヤー上に並べて、太陽光により生育させながら、間欠に移動させ、前後端に昇降機を配置して上下に運び、エンドレスに移動させる。後端昇降機に隣接した昇降部で培養液槽に反転して浸漬させる一連の装置からなる簡易、軽量、省エネルギー運転を特徴とする露地水耕栽培装置
【発明の詳細な説明】
【技術分野】
【０００１】  本発明は、植物の露地栽培装置の軽量化省エネルギー化安定運転のための改良装置に関する。
【背景技術】
【０００２】  従来の露地水耕栽培においては、無端チエンを掛け回して栽培用パネルを移動させ反転して液に浸漬するもの、長尺のローラー上を植物栽培用パネルを移動させ片端において上下昇降ケージを設け反転させる装置が提案されていた。
【先行技術文献】
【０００３】  特願２０１０−１５６６５５
【０００４】  しかし上記の従来型装置では、植物栽培用パネルの重量も重く人手で取り扱うのは困難で、これを多数個搬送するローラーは効率が悪く長期に安定した運転には不向きな欠点があった。
【発明の概要】
【発明が解決しようとしている課題】
【０００５】本発明は、実用化に向けて装置の軽量化、機械三要素のコロ・テコ・クサビを最大限利用して省エネルギーを完成させてた、取り扱い易い露地水耕栽培装置を提供することを課題とする。
【課題を解決するための手段】
【０００６】  上記課題を解決するため本発明は、植物栽培用パネルを軽量化し、植物の苗の取り付け、収穫時の取り外し等の作業を、し易くする為パネル固定枠又は固定帯を省きその出入口部の昇降装置、隣接する植物栽培部及び成長促進部そして終端昇降装置及び液浸漬昇降装置等に軽作動の短ローラーを配し、厳選された軽量構造材を用い又パネルの移動に傾斜を利用昇降部にはバランスウエイト用いて軽量省エネルギーを図った。
【発明の効果】
【０００７】  上述したように本発明の水耕栽培装置は、苗床パレットの重量を軽減し、作業者の疲労を軽減すると共に機械の動力の軽減そして耐久性を向上する事が出来た。
【図面の簡単な説明】
【０００８】
【図１】  本発明の実施形態を示す露地水耕栽培装置の全体正面図及び平面図
【図２】  同装置の昇降部の正面図
【図３】  同装置の植物栽培パネル蓋支え部側面図
【図４】  植物栽培パネルの側断面図
【発明を実施するための形態】
【０００９】  以下本発明の実施の形態を図１〜図４に基づいて説明する。
本願発明による植物栽培パネルＰは本体は１を合成樹脂発泡体に防水及び劣化防止用の塗装を施し、内部に培養液が溜まるスペースを作りその上部には嵌り込み部分を作る。
嵌り込み部分には合成樹脂発泡体に同様の塗装を施して、多数の苗穴及び複数の培養液注入穴を貫通させた蓋２が嵌り込み、オーバーフローさせて培養液を一定量貯える為のかさ上げをした複数の排出穴５が下部に設けられる。
植物栽培パネルが植物栽培路ローラー８上を移動する際軽く動くとともに耐久性の向上を図るため、ステンレス型鋼板枠６を植物栽培パネル本体１下部に嵌り込ませている。
【００１０】  図１Ａ出入口昇降装置は植物栽培パネルＰを出し入れ為の駆動モーター７によりスプロケット９無端チエーン１０を駆動、その一部分にパネルを移動させるローラー１１を装備するコンベヤーと植物栽培パネルＰを上下させる駆動モーター１２ソプロケット１３ローラーチエーン１４バランスウエイト１５が取り付けられる。出入口昇降装置Ａに隣接して上段に植物栽培路Ｄ、下段に植物成長促進路Ｅ、が配置される。上下段とも合成樹脂製短ローラーにて前後に搬送可能とし、又搬送路の巾ガイドとして同様のローラーが装着される。
更に隣接して終端昇降装置Ｂが配置される。この装置は出入口昇降装置Ａと対称の配置に同じ部品で製作され、植物栽培路Ｄから植物栽培パネルＰを隣接した浸漬昇降装置Ｃへ受け渡し、浸漬が終わった植物栽培パネルＰを受け取り、下段の植物成長促進路Ｅに受け渡す機能を有している。
終端昇降装置Ｂに隣接して配置される浸漬昇降装置Ｃは昇降駆動モーター１６スプロケット１７ローラーチエーン１８バランスウエイト１９が取り付けられて植物栽培パネルＰを上下移動可能とし、パネル回転駆動モーター２０スプロケット２１無端チエーン２２によって、１８０度回転、反回転及び傾斜を可能としている。
【００１１】  以下、上記構成の動作を説明する。出入口昇降装置Ａから取入れられた植物栽培パネルＰは、コンベヤーによって植物栽培路Ｄ上を１ピッチ終端方向へ進み終端昇降装置Ｂ上に到達する。次に終端昇降装置ＢのコンベヤーによってパネルＰは浸漬昇降装置Ｃへと送られ昇降装置２６は上昇する途中で植物栽培パネル蓋保持腕２３、保持腕作動ローラー２４の作用によって蓋２が外れないよう保持した後パネル反転駆動モーター等の作用により、１８０度回転する。次に昇降装置２６下降して浸漬槽２５に植物は浸漬する。必要時間後昇降装置は上昇して、１８０度反転する、ついで下降する途中では、保持腕作動ローラー２４の反対方向の動きによってパネル蓋保持腕２３は待機位置に戻る。
昇降装置２６は定位置より高い決められた位置で停止し、植物栽培パネルＰが終端昇降装置Ｂ上に移動するよう反転して傾斜状態で止まる。
上記のように移動した後、終端昇降装置Ｃは下降して植物育成促進路Ｅの高さで止まりコンベヤーは出入口方向に１ピッチ進んで植物育成促進路から出入口昇降装置に到達する。出入口昇降装置と終端昇降装置はほぼ同時に上昇して植物栽培路の高さで止まり次のサイクルに移行する。栽培が完成していれば、ここで取り出して新しい栽培パネルを入れて次の栽培が始まる事となる。
【符号の説明】
【００１２】  Ａ  出入口昇降装置
Ｂ  終端昇降装置
Ｃ  浸漬昇降装置
Ｄ  植物栽培路
Ｅ  植物成長促進路
１  植物栽培パネル本体
２  植物栽培パネル蓋
３  苗穴
４  培養液注入穴
５  培養液排出穴
６  ステンレス型鋼板枠
７  パネル出し入れモ−ター
８  植物栽培パネル搬送ローラー
９  スプロケト
１０  無端チエーン
１１  パネル移動ローラー
１２  上下移動モーター
１３  スプロケット
１４  ローラーチエーン
１５  バランスウエイト
１６  浸漬昇降駆動モーター
１７  スプロケット
１８  ローラーチエーン
１９  バランスウエイト
２０  パネル回転駆動モーター
２１  スプロケット
２２  無端チエーン
２３  パネル蓋保持腕
２４  保持腕作動ローラー
２５  培養液浸漬槽
２６  昇降装置
【図１】
2012249626.tif 000003
【図２】
2012249626.tif 000004
【図３】
2012249626.tif 000005
【図４】
2012249626.tif 000006
(57)【要約】      （修正有）【課題】温度によるオフセット電圧のずれを抑える機能を備えるマルチキャスト受信機を提供する。【解決手段】衛星通信信号受信専用機であるマルチキャスト受信機において、温度によるオフセット電圧のずれを、オフセット調節回路にサーミスタを組み込むことで、直接抑える機能を備えている。オフセット電圧の変化幅とおよそ合致するよう、サーミスタ定数Bの異なる二種類のサーミスタを使用し、それらのサーミスタの温度変化率の差を利用することで実現する。【選択図】図４
2012249062.tif 000002
【特許請求の範囲】
【請求項１】
衛星通信信号受信専用機であるマルチキャスト受信機において、オフセット電圧の調節に用いていた抵抗器に替えてサーミスタを使用することを特徴とするマルチキャスト受信機。
【請求項２】
請求項１に記載のサーミスタは、オフセット電圧の変化幅とおよそ合致するサーミスタ定数Bを持つ二つの異なるサーミスタであり、当該温度変化率の差によりオフセット電圧のずれを抑えることを特徴とするマルチキャスト受信機。
【発明の詳細な説明】
【技術分野】
【０００１】
本発明は衛星通信信号受信専用機であるマルチキャスト受信機に利用する。
【背景技術】
【０００２】
従来は、マルチキャスト受信機では温度によるベースバンド信号の電圧の変化があっても、温度補償は行わず、受信信号の振幅をなるべく大きくアンプすることで、オフセット電圧の変化により増加するエラーを、低減するようにしていた。
【０００３】
図３は前記アンプによるエラー低減の様子を示したものである。図３Ａはオフセット電圧が変化していない状態であり、信号が重畳している領域を除いて正常にｈｉｇｈとｌｏｗが識別されている。しかるに同じ振幅でオフセット電圧がずれた図３Ｂに示す状況下においては、ｈｉｇｈであるべき箇所がｌｏｗの領域にあり、エラーが増加している。
【０００４】
従来はこのような問題が生じた際にエラーを低減するために、図３Ｃに示すように、振幅を大きくすることによって相対的にエラーを減少させる手段がとられてきた。
【０００５】
前記オフセット電圧の変化による影響に関して、特に衛星通信において前記のように振幅を操作する解決手段については特許文献１などに示されている。
【先行技術文献】
【特許文献】
【０００６】
【特許文献１】特開平５−６３５９３
【発明の概要】
【発明が解決しようとする課題】
【０００７】
これまでマルチキャスト受信機では、オフセット電圧の変化があってもＡＤ変換が可能なように、受信信号をアンプにより増大させベースバンド信号の振幅を増幅させることで、間接的にオフセット電圧の変化の影響を低減するようにしていた。
【０００８】
しかるに、振幅を過大に増大させると、隣接チャンネルの信号が混入した場合に受信機感度を超えてしまうためビットエラーが発生してしまい、振幅の増大による調整には限界があった。よって、別の手段によってオフセット電圧の温度変化を補償する必要があった。
【課題を解決するための手段】
【０００９】
前記課題を解決するために本発明は、次のような手段を実施する。つまり、
衛星通信信号受信専用機であるマルチキャスト受信機において、オフセット電圧の調節に用いていた抵抗器に替えてサーミスタを使用することを特徴とするマルチキャスト受信機である。
【００１０】
また、本発明は、オフセット電圧の変化幅とおよそ合致するサーミスタ定数Bを持つ二つの異なるサーミスタであり、当該温度変化率の差によりオフセット電圧のずれを抑えることを特徴とするマルチキャスト受信機である。
【発明の効果】
【００１１】
本発明によれば、ベースバンド信号に対し、直接温度補償を行うことができる。つまり、従来のオフセット電圧回路に使用していた抵抗の代わりにサーミスタを組み込むことが発明の主旨であるため、少ない変更点で温度補償を行うことができる。さらに、二つのサーミスタ定数Ｂの値をそれぞれ適切に選ぶことで、様々なオフセット電圧の温度変化幅に対応できる。
【図面の簡単な説明】
【００１２】
【図１】温度変化による影響である。
【図２】温度変化による影響を、本発明により低減するための方法である。
【図３】従来の温度変化による影響を低減するための方法である。
【図４】オフセット電圧調整回路の実施形態である。
【発明を実施するための形態】
【実施例】
【００１３】
本発明の好適な実施の形態について、図を参照して説明する。前記のように図３はオフセット電圧が変動した場合の影響を示した図であり、図３Ｂのようにオフセット電圧が変動した場合には図３Ｃのように信号の振幅を増大させることによって影響を減少させることができ、従来はこの方法によって課題を解決していた。
【００１４】
本発明では図２に示すように、ベースバンド信号のオフセット電圧調整回路において、抵抗器の替わりにサーミスタを用いることに特徴がある。つまり、図４に示すように、サーミスタの温度変化量はオフセット電圧の温度変化に対して非常に大きいため、異なるサーミスタ定数Ｂを持つサーミスタ二つを使用し、サーミスタの温度変化率の差異を利用するのである。本発明においては、サーミスタ定数Bの値をそれぞれ適切に選ぶことで、オフセット電圧の温度特性を調節することができる。
【００１５】
図４において、前記抵抗器は４０１と４０３である。つまり、抵抗器４０１と４０３によってアンプの一方の端子にかかる電圧、つまりオフセット電圧を変化させている。本発明では当該抵抗器の替わりにサーミスタ４０５と４０７を用いることによって、オフセット電圧を調整出来、しかもサーミスタの特徴によれば、温度によるオフセット電圧のずれを直接改善することが可能になる。
【００１６】
ここで、サーミスタ４０５と４０７の温度変化率が同じである場合は、アンプの一方の端子にかかる電圧は常に一定になってしまうから、当該４０５と４０７は温度変化率が異なるものを使用する。それぞれの温度変化率は、オフセット電圧が温度によってどう変化していくかを事前に測定して決めておく。
【符号の説明】
【００１７】
４０１，４０３…抵抗器、
４０５，４０７…サーミスタ。
【図１】
2012249062.tif 000003
【図２】
2012249062.tif 000004
【図３】
2012249062.tif 000005
【図４】
2012249062.tif 000006